(57)【特許請求の範囲】
【請求項１】
浴室内の空気を外部に排出して換気を行う換気運転と、前記浴室内から吸引した空気を加熱して前記浴室内の乾燥対象物を乾燥させるために前記浴室内に送風する乾燥運転と、を実行可能な制御手段を備えた浴室乾燥機であって、
終了予定時刻を入力するための入力手段と、
前記浴室内の絶対湿度を算出する絶対湿度算出手段と、
前記絶対湿度算出手段が算出した前記絶対湿度の変化率から前記乾燥対象物の乾燥率を推定する乾燥率推定手段とを備え、
前記制御手段が、
前記終了予定時刻が入力された状態において、
前記乾燥対象物の乾燥度合を示す乾燥指標が、前記乾燥対象物が完全に乾いたことを示す完全乾燥指標値よりも未乾燥側の値に設定された第１乾燥指標値としての前記乾燥率に到達した第１乾燥状態となるまで前記乾燥運転を行う第１乾燥運転と、
前記乾燥率が前記第１乾燥状態よりも未乾燥側の値となった時には、前記第１乾燥状態を維持できるように前記乾燥運転を間欠的に実行する待機運転と、
前記終了予定時刻において、前記乾燥指標が前記完全乾燥指標値としての前記乾燥率に到達した第２乾燥状態となるように、前記終了予定時刻の所定時間前から前記乾燥運転を行う第２乾燥運転と、を順に実行する自動乾燥運転を実行可能な浴室乾燥機。
【請求項２】
前記制御手段が、
前記待機運転において、前記乾燥運転を行っていないタイミングでは、前記換気運転を実行する請求項１に記載の浴室乾燥機。
【請求項３】
前記入力手段が、外部ネットワークを介して通信端末と通信可能に構成された請求項１又は２に記載の浴室乾燥機。
【請求項４】
前記通信端末が前記終了予定時刻を入力できるように構成され、
前記制御手段が、
前記自動乾燥運転において前記第２乾燥運転を開始するまでの間に、前記通信端末から前記終了予定時刻の入力が行われた場合に、前記終了予定時刻を更新するように構成された請求項３に記載の浴室乾燥機。
【請求項５】
前記浴室乾燥機の設置位置を示す設置位置情報を記憶した設置位置記憶手段を備えるとともに、
前記入力手段が、前記外部ネットワークを介して取得した前記通信端末の位置情報と前記設置位置情報との関係に基づいて、前記終了予定時刻を決定する時刻決定手段を備え、当該時刻決定手段により決定した前記終了予定時刻を入力する請求項３に記載の浴室乾燥機。
【請求項６】
前記制御手段が、
前記乾燥率が９０％以上１００％未満の状態を前記第１乾燥状態とし、
前記乾燥率が１００％以上の状態を前記第２乾燥状態とする請求項１〜５のいずれか一項に記載の浴室乾燥機。
【請求項７】
浴室内の空気を外部に排出して換気を行う換気運転と、前記浴室内から吸引した空気を加熱して前記浴室内に送風する乾燥運転と、を実行可能な浴室乾燥機を用いて前記浴室内の乾燥対象物を乾燥させる乾燥方法であって、
前記浴室内の絶対湿度を算出して、当該算出した絶対湿度の変化率から前記乾燥対象物の乾燥率を推定し、
前記乾燥対象物の乾燥度合を示す乾燥指標が、前記乾燥対象物が完全に乾いたことを示す完全乾燥指標値よりも未乾燥側の値に設定された第１乾燥指標値としての前記乾燥率に到達した第１乾燥状態となるまで前記乾燥運転を行う第１乾燥運転と、
前記乾燥率が前記第１乾燥状態よりも未乾燥側の値となった時には、前記第１乾燥状態を維持できるように前記乾燥運転を間欠的に行う待機運転と、
所定の終了予定時刻において、前記乾燥指標が前記完全乾燥指標値としての前記乾燥率に到達した第２乾燥状態となるように、前記終了予定時刻の所定時間前から前記乾燥運転を行う第２乾燥運転と、を順に実行する乾燥方法。 
【発明の詳細な説明】
【技術分野】
【０００１】
本発明は、浴室内の空気を外部に排出して換気を行う換気運転と、前記浴室内から吸引した空気を加熱して前記浴室内の乾燥対象物を乾燥させるために前記浴室内に送風する乾燥運転と、を実行可能な制御手段を備えた浴室乾燥機に関する。
【背景技術】
【０００２】
浴室内の空気を循環させつつ加熱する乾燥運転を行うことで、浴室内に配置された衣類を乾燥させる浴室乾燥機が知られる。このような浴室乾燥機には、衣類を乾燥させるための乾燥運転を、所定時間後に行うタイマー設定機能が備えられている場合がある。また、特許文献１に示す浴室乾燥機のように、衣類の乾燥を行うよう指示されると、乾燥運転を開始した後、湿度センサを用いて取得した絶対湿度に基づいて衣類の乾燥度合を推定し、衣類が十分に乾燥したと判定された場合に、自動的に乾燥運転を終了する構成が知られている。
【先行技術文献】
【特許文献】
【０００３】
【特許文献１】特開２０１１−１７２６９３号公報
【発明の概要】
【発明が解決しようとする課題】
【０００４】
一方、近年では専業主婦世帯の減少などを背景に、利用者が、浴室乾燥機に衣類の乾燥を行うように指示した後、外出するケースなどが増えつつある。
【０００５】
このようなケースに想定される利用者の行動としては、利用者が帰宅時間を見越して、浴室乾燥機の乾燥運転を開始する時刻をタイマー設定することが考えられる。この場合、衣類を洗濯した直後の状態で長時間放置した場合には、嫌な生乾きのにおいが発生するという問題がある。
【０００６】
また、想定される利用者の行動としては他に、帰宅予定時刻まで乾燥運転を連続実行することが考えられる。しかしながら、この場合には、電気代、ガス代がかかり、また省エネの観点からも問題がある
【０００７】
さらに、想定される利用者の行動としては他に、特許文献１のような浴室乾燥機において、衣類の乾燥を指示した後、放置することが考えられる。ここで、浴室内には浴槽の給湯口や排水溝など湿気を発生させる要因となる箇所が点在する。このため、浴室乾燥機によって一旦衣類の乾燥を完了しても、外出等で長時間放置したままにすると浴室内の湿度が上昇し、衣類が再度湿気を帯びることがある。
【０００８】
このため、利用者が、浴室乾燥機に衣類の乾燥を行うように指示した後、就寝や外出などにより長時間衣類を浴室に放置すると、衣類を浴室から取り込もうとした際には、衣類が湿気を帯びており、衣類の温度が低く、肌触りの悪い状態で衣類を取り込むことになるといった問題がある。特に、衣類の温度が低い場合には、実際には乾燥していても、体感的に乾いているようには感じ難く、利用者の浴室乾燥機に対する満足度が低くなり易い。また、衣類の湿り度合によっては、衣類の乾燥を再度行う必要があるという問題がある。
【０００９】
そこで、本発明の目的は、省エネに配慮しながらも、生乾きの臭いの発生を抑えながら、所定の時刻において暖かく肌触りの良い状態に衣類を仕上げることのできる浴室乾燥機を提供することにある。
【課題を解決するための手段】
【００１０】
上記目的を達成するため、本発明に係る浴室乾燥機の特徴構成は、浴室内の空気を外部に排出して換気を行う換気運転と、前記浴室内から吸引した空気を加熱して前記浴室内の乾燥対象物を乾燥させるために前記浴室内に送風する乾燥運転と、を実行可能な制御手段を備えた浴室乾燥機であって、
終了予定時刻を入力するための入力手段と、
前記浴室内の絶対湿度を算出する絶対湿度算出手段と、
前記絶対湿度算出手段が算出した前記絶対湿度の変化率から前記乾燥対象物の乾燥率を推定する乾燥率推定手段とを備え、
前記制御手段が、
前記終了予定時刻が入力された状態において、
前記乾燥対象物の乾燥度合を示す乾燥指標が、前記乾燥対象物が完全に乾いたことを示す完全乾燥指標値よりも未乾燥側の値に設定された第１乾燥指標値としての前記乾燥率に到達した第１乾燥状態となるまで前記乾燥運転を行う第１乾燥運転と、
前記乾燥率が前記第１乾燥状態よりも未乾燥側の値となった時には、前記第１乾燥状態を維持できるように前記乾燥運転を間欠的に実行する待機運転と、
前記終了予定時刻において、前記乾燥指標が前記完全乾燥指標値としての前記乾燥率に到達した第２乾燥状態となるように、前記終了予定時刻の所定時間前から前記乾燥運転を行う第２乾燥運転と、を順に実行する自動乾燥運転を実行可能な点にある。 
【００１１】
上記特徴構成によれば、絶対湿度算出手段により取得した浴室内の絶対湿度に基づいて、乾燥対象物の乾燥率を推定する。自動乾燥運転を実行すると、まず第１乾燥運転によって、乾燥対象物が完全に乾いた状態よりも未乾燥な状態である第１乾燥状態にまで乾燥運転が実行される。さらに、待機運転が実行された後、終了予定時刻の所定時間前に、第２乾燥運転が実行される。
これにより、自動乾燥運転を開始すると、第１乾燥運転によって、乾燥対象物を一旦、第１乾燥指標値として、完全に乾いたことを示す完全乾燥指標値よりも未乾燥側に設定された値近くにまで乾燥するため、乾燥対象物を濡れたまま放置した場合に生じる嫌な生乾きのにおいの発生を抑えることができる。
さらに、乾燥運転を中断する待機運転を行った後、第２乾燥運転を実行する。このため、乾燥運転を連続して行うよりも省エネを実現することが出来、終了予定時刻においては、乾燥対象物が乾燥運転により暖められるとともに、完全に乾いた状態となる。よって、浴室乾燥機の利用者は、終了予定時刻に、暖かく肌触りの良い状態の衣類を取り込むことができる。
以上のように、省エネに配慮しながらも、生乾きの臭いの発生を抑えながら、終了予定時刻において暖かく肌触りの良い状態に衣類を仕上げられる浴室乾燥機を実現できる。 
【００１３】
また、上記特徴構成によれば、待機運転において、間欠的に乾燥運転が行われることで第１乾燥状態が維持される。よって、例えば、浴室内に水溜りが存在するなど湿気が発生し易い状況下においても、第１乾燥運転の後、第２乾燥運転が開始されるまでの間に、乾燥対象物が浴室内における湿気を多く吸ってしまうことを予防することができる。よって、待機運転中に、生乾きの状態となり、嫌な匂いが発生することを防ぐことができる。また、間欠的に乾燥運転を行うため、第１乾燥運転の後、第２乾燥運転が開始されるまでの間、常時乾燥運転を実行する場合に比べると、省エネを実現することができる。すなわち、省エネに配慮しながらも、生乾きの臭いの発生を抑えた浴室乾燥機を実現することができる。
【００１４】
また、別の特徴構成は、前記制御手段が、
前記待機運転において、前記乾燥運転を行っていないタイミングでは、前記換気運転を実行する点にある。
【００１５】
上記特徴構成によれば、待機運転の間、少なくとも換気運転が実行された状態となる。これにより、浴室内の換気が常に行われることから、換気を行っていない状況下に比べ、乾燥対象物が浴室内における湿気を吸い難くすることができる。換気運転にかかるコストは乾燥運転に比べれば小さいため、常時乾燥運転を実行する場合に比べると、省エネを実現することができる。すなわち、省エネに配慮しながらも、生乾きの臭いの発生をより一層抑えた浴室乾燥機を実現することができる。
【００１６】
さらに、別の特徴構成は、前記入力手段が、外部ネットワークを介して通信端末と通信可能に構成された点にある。
【００１７】
上記特徴構成によれば、浴室乾燥機の利用者は通信端末を用いて、外部ネットワーク越しに終了予定時刻を入力することが可能となる。すなわち、例えば、浴室乾燥機が設けられた家屋外から、利用者が終了予定時刻を入力することが可能となる。よって、例えば、利用者が外出先から、終了予定時刻として帰宅予定時刻を入力することで、帰宅直後に、暖かく肌触りの良い状態で乾燥対象物を取り込むことが可能となる。
【００１８】
また、さらなる特徴構成は、前記通信端末が前記終了予定時刻を入力できるように構成され、
前記制御手段が、
前記自動乾燥運転において前記第２乾燥運転を開始するまでの間に、前記通信端末から前記終了予定時刻の入力が行われた場合に、前記終了予定時刻を更新するように構成された点にある。
【００１９】
上記特徴構成によれば、利用者は、自動乾燥運転を開始した状態において、第２乾燥運転が開始されるまでの間に、通信端末を介して、終了予定時刻を更新することが可能となる。すなわち、例えば、利用者が外出先から一度終了予定時刻として帰宅予定時刻を入力した後であっても、帰宅が予定より遅くなるような際には、再度帰宅予定時刻を入力することで、帰宅直後に暖かく肌触りの良い状態で乾燥対象物を取り込むことが可能となる。
【００２０】
さらに、別の特徴構成は、前記浴室乾燥機の設置位置を示す設置位置情報を記憶した設置位置記憶手段を備えるとともに、
前記入力手段が、前記外部ネットワークを介して取得した前記通信端末の位置情報と前記設置位置情報との関係に基づいて、前記終了予定時刻を決定する時刻決定手段を備え、当該時刻決定手段により決定した前記終了予定時刻を入力する点にある。
【００２１】
上記特徴構成によれば、通信端末から取得した位置情報と、位置情報記憶手段に記憶された浴室乾燥機の設置位置情報との関係に基づいて自動的に終了予定時刻が決定され、浴室乾燥機の制御手段に入力される。よって、例えば、利用者が通信端末を持って外出した場合には、利用者の位置に応じて自動的に終了予定時刻が入力される。これにより、利用者は特別な操作を行う必要なく、帰宅直後に暖かく肌触りの良い状態で乾燥対象物を取り込むことが可能となる。すなわち、利用者の帰宅に合わせて乾燥対象物を暖かく肌触りの良い状態に仕上げられる浴室乾燥機をより利便性に優れた形態で実現することができる。
【００２２】
また、別の特徴構成は、前記制御手段が、
前記乾燥率が９０％以上１００％未満の状態を前記第１乾燥状態とし、
前記乾燥率が１００％以上の状態を前記第２乾燥状態とする点にある。
【００２３】
上記特徴構成によれば、制御手段は、乾燥対象物の乾燥率が９０％以上１００％未満の状態という乾燥対象物がほぼ乾いた状態を第１乾燥状態として、第１乾燥運転を実行し、乾燥率が１００％という乾燥対象物が完全に乾いた状態を第２乾燥状態として第２乾燥運転を実行する。
ここでは、第１乾燥運転の後、第２乾燥運転が開始されるまでの間において、乾燥対象物が浴室内の湿気を少なからず吸収することが想定されるため、第１乾燥運転では、乾燥対象物の乾燥率を９０以上１００％未満の状態に留める。このため、待機運転中において、生乾きとなり嫌なにおいが発生することを抑えつつ、完全に乾燥した状態に比べ湿気を吸収し難い状態とできる。
よって、第１乾燥運転で乾燥対象物を完全に乾燥させる場合に比べて、過剰に乾燥運転を実行する時間を抑えられる。すなわち、自動乾燥運転における乾燥運転の時間を抑え、より一層省エネ効果の高い浴室乾燥機を実現することができる。
【００２４】
また、別の特徴構成は、浴室内の空気を外部に排出して換気を行う換気運転と、前記浴室内から吸引した空気を加熱して前記浴室内に送風する乾燥運転と、を実行可能な浴室乾燥機を用いて前記浴室内の乾燥対象物を乾燥させる乾燥方法であって、
前記浴室内の絶対湿度を算出して、当該算出した絶対湿度の変化率から前記乾燥対象物の乾燥率を推定し、
前記乾燥対象物の乾燥度合を示す乾燥指標が、前記乾燥対象物が完全に乾いたことを示す完全乾燥指標値よりも未乾燥側の値に設定された第１乾燥指標値としての前記乾燥率に到達した第１乾燥状態となるまで前記乾燥運転を行う第１乾燥運転と、
前記乾燥率が前記第１乾燥状態よりも未乾燥側の値となった時には、前記第１乾燥状態を維持できるように前記乾燥運転を間欠的に行う待機運転と、
所定の終了予定時刻において、前記乾燥指標が前記完全乾燥指標値としての前記乾燥率に到達した第２乾燥状態となるように、前記終了予定時刻の所定時間前から前記乾燥運転を行う第２乾燥運転と、を順に実行する点にある。 
【００２５】
上記特徴構成によれば、浴室内の絶対湿度に基づいて、乾燥対象物の乾燥率を推定する。自動乾燥運転を実行すると、まず第１乾燥運転によって、乾燥対象物が完全に乾いた状態よりも未乾燥な状態である第１乾燥状態にまで乾燥運転が実行される。さらに、待機運転が実行された後、終了予定時刻の所定時間前に、第２乾燥運転が実行される。
これにより、自動乾燥運転を開始すると、第１乾燥運転によって、乾燥対象物を一旦、第１乾燥指標値として、完全に乾いたことを示す完全乾燥指標値よりも未乾燥側に設定された値近くにまで乾燥するため、乾燥対象物を濡れたまま放置した場合に生じる嫌な生乾きのにおいの発生を抑えることができる。
さらに、乾燥運転を中断する待機運転を行った後、第２乾燥運転を実行する。このため、乾燥運転を連続して行うよりも省エネを実現することが出来、終了予定時刻においては、乾燥対象物が乾燥運転により暖められるとともに、完全に乾いた状態となる。よって、本乾燥方法を用いることで、利用者は、終了予定時刻に、暖かく肌触りの良い状態の衣類を取り込むことができる。
以上のように、省エネに配慮しながらも、生乾きの臭いの発生を抑えながら、終了予定時刻において暖かく肌触りの良い状態に衣類を仕上げられる乾燥方法を実現できる。
また、上記特徴構成によれば、待機運転において、間欠的に乾燥運転が行われることで第１乾燥状態が維持される。よって、例えば、浴室内に水溜りが存在するなど湿気が発生し易い状況下においても、第１乾燥運転の後、第２乾燥運転が開始されるまでの間に、乾燥対象物が浴室内における湿気を多く吸ってしまうことを予防することができる。よって、待機運転中に、生乾きの状態となり、嫌な匂いが発生することを防ぐことができる。また、間欠的に乾燥運転を行うため、第１乾燥運転の後、第２乾燥運転が開始されるまでの間、常時乾燥運転を実行する場合に比べると、省エネを実現することができる。すなわち、省エネに配慮しながらも、生乾きの臭いの発生を抑えた乾燥方法を実現することができる。
【図面の簡単な説明】
【００２６】
【図１】浴室暖房乾燥機の概要図
【図２】浴室暖房乾燥機の内部構成図
【図３】自動乾燥運転のフローチャート
【図４】自動乾燥運転時の動作及び乾燥率の変化を示す図
【図５】第２実施形態に係る浴室暖房乾燥機の内部構成図
【発明を実施するための形態】
【００２７】
〔第１実施形態〕
１．浴室乾燥機の概要
以下、図面に基づいて、本発明に係る浴室暖房乾燥機１の実施形態を説明する。浴室暖房乾燥機１は「浴室乾燥機」に相当する。
【００２８】
図１及び図２に示すように、浴室暖房乾燥機１は、装置本体Ｍと、その装置本体Ｍに加熱した熱媒を循環供給する熱源機Ｇと、浴室暖房乾燥機１の運転を制御する制御手段１０と、その制御手段１０に各種制御指令が指示される際に用いられる入力手段Ｉ（浴室リモコンＲ１、脱衣室リモコンＲ２、また不図示の台所リモコン）とを備えて構成されている。浴室リモコンＲ１は、浴室Ｂ内に備えられ、脱衣室リモコンＲ２は、浴室Ｂに隣接する脱衣室に備えられる。
【００２９】
さらに脱衣室リモコンＲ２は、浴室暖房乾燥機１を有する宅内に設置された外部ネットワークとの中継器（宅内ルータ１５）と通信可能に構成され、宅内ルータ１５を介して利用者が通信端末１４で指示した各種制御指令を制御手段１０に伝える役割を担う。
【００３０】
装置本体Ｍは、下方が略全体にわたって開口した概ね直方体形状の箱状のケースによって構成される。図２に示すように、そのケース内には、浴室Ｂ内の空間に面する吸入口から吸い込んだ空気を、同じく浴室Ｂ内の空間に面する吹出口から吹き出すように通風作用する循環ファン２、吸入口から吸い込んだ空気をダクト接続部Ｅ（図１）を通してケース外に排出する排気ファン３、循環ファン２により通風される空気を熱源機Ｇからの熱媒循環路を通して循環供給される熱媒にて加熱する暖房用熱交換器４等が装備されている。
【００３１】
制御手段１０は、循環ファン２、排気ファン３、及び暖房用熱交換器４の動作を制御することで、後述する換気運転ｏｐ１（図３）、暖房運転及び乾燥運転ｏｐ２（図３）などの各種制御を実行する。
【００３２】
具体的には、浴室暖房乾燥機１は、排気ファン３によって浴室Ｂ内の空気が浴室Ｂ外に排出されるように構成されており、制御手段１０は、換気運転ｏｐ１として排気ファン３を動作させ、浴室Ｂの換気を行う。なお、換気運転ｏｐ１においては、排気ファン３の動作と同時に、循環ファン２を動作させ、浴室Ｂ内の空気の循環を促す構成としても構わない。
【００３３】
また、浴室暖房乾燥機１は、循環ファン２の通風作用により、吸入口を通して吸引された浴室Ｂ内の空気が暖房用熱交換器４にて加熱された後、吹出口を通して浴室Ｂ内に送風されるように構成されており、制御手段１０は、暖房運転として循環ファン２及び暖房用熱交換器４を動作させ、浴室Ｂ内を暖房する。
【００３４】
さらに、浴室暖房乾燥機１は、乾燥運転ｏｐ２として、換気運転ｏｐ１と暖房運転を同時に行うことで、浴室Ｂ内の空気を乾燥させることができるように構成される。乾燥運転ｏｐ２は、吹出口の近辺に衣類Ｃを配置した状態で実行することで衣類の乾燥を行うことができる。
【００３５】
浴室暖房乾燥機１は、入力手段Ｉとしての脱衣室リモコンＲ２を介して、これらの換気運転ｏｐ１、暖房運転及び乾燥運転ｏｐ２の実行を指示可能に構成されている。
【００３６】
２．制御手段の構成
本実施形態においては、浴室暖房乾燥機１は、入力手段Ｉを介して利用者が換気運転ｏｐ１、暖房運転及び乾燥運転ｏｐ２に加えて、「自動乾燥運転ｏｐＡ」の実行を指示可能に構成される。また、入力手段Ｉは、利用者が自動乾燥運転ｏｐＡの動作終了を希望する予定時刻である「終了予定時刻Ｔｘ」を制御手段１０に入力可能に構成される。
【００３７】
詳しくは後述するが、浴室暖房乾燥機１は、「自動乾燥運転ｏｐＡ」の実行が指示された場合、終了予定時刻Ｔｘが入力されているか否かによってその制御内容を変更するように構成される。
【００３８】
大まかには、終了予定時刻Ｔｘが入力されていない場合には、浴室暖房乾燥機１は自動乾燥運転ｏｐＡとして、浴室Ｂ内に配置された衣類Ｃが完全に乾燥するまでの間、乾燥運転ｏｐ２を連続実行して終了する。
【００３９】
一方、終了予定時刻Ｔｘが入力された場合には、自動乾燥運転ｏｐＡとして、終了予定時刻Ｔｘにおいて浴室Ｂ内に配置された衣類Ｃが完全に乾燥するように、乾燥運転ｏｐ２のタイミングを調整しながら実行する。
【００４０】
２−１．乾燥率（乾燥指標）
本実施形態においては、制御手段１０が浴室Ｂ内の衣類Ｃの乾燥度合を把握するための指標として、乾燥対象物である衣類Ｃの乾燥率Ｄを用いる。乾燥率Ｄは、自動乾燥運転ｏｐＡ実行直前において衣類Ｃに含まれる水分のうち、衣類Ｃから蒸発した水分の割合を示す。
【００４１】
乾燥率Ｄは、乾燥前後で衣類Ｃの重量を計測することで直接求めることができるが、本実施形態においては、浴室Ｂ内の絶対湿度Ｈａの変化率に基づいて乾燥率Ｄを間接的に求める構成としている。
【００４２】
具体的には、乾燥率Ｄの推定にあたり、浴室暖房乾燥機１には、絶対湿度算出手段１１及び乾燥率推定手段１２が備えられる。また、浴室暖房乾燥機１には、浴室Ｂ内の温度を計測するための温度センサ５及び、浴室Ｂ内の相対湿度を計測するための湿度センサ６が備えられる。
【００４３】
絶対湿度算出手段１１は、温度センサ５により計測した浴室Ｂ内の温度及び、湿度センサ６により計測した相対湿度に基づいて、浴室Ｂ内の絶対湿度Ｈａを算出する。絶対湿度算出手段１１は例えば、１分ごとに絶対湿度Ｈａを算出するように構成される。
【００４４】
乾燥率推定手段１２は、絶対湿度算出手段１１により逐次算出された絶対湿度Ｈａを入力として受け取り、入力された絶対湿度Ｈａの変化率から、衣類Ｃの乾燥率Ｄを推定するように構成される。ここで、絶対湿度Ｈａの変化率と乾燥率Ｄとの対応関係は、あらかじめ統計に基づき決定しておくと良い。
【００４５】
２−２．入力手段の構成
浴室暖房乾燥機１は、制御手段１０に終了予定時刻Ｔｘを入力するための入力手段Ｉとして、浴室リモコンＲ１、脱衣室リモコンＲ２などを備える。
【００４６】
通信端末１４は、利用者が終了予定時刻Ｔｘを入力できるように構成される。浴室暖房乾燥機１は、通信端末１４に入力された終了予定時刻Ｔｘを、宅内ルータ１５を介して入力手段Ｉとしての脱衣室リモコンＲ２が受信可能に構成される。脱衣室リモコンＲ２が通信端末１４から受信した終了予定時刻Ｔｘは、さらに制御手段１０へと入力される。
【００４７】
通信端末１４としては、例えば、スマートフォンや携帯電話などを用いることができる。このような構成により、利用者によって通信端末１４に入力された終了予定時刻Ｔｘは、浴室暖房乾燥機１の制御手段１０に入力される。
【００４８】
ここで、利用者が通信端末１４を用いて、制御手段１０に終了予定時刻Ｔｘを入力する利用例としては、例えば、外出先において帰宅予定時刻を入力するケースや、就寝前に翌日の起床予定時刻を入力するケースが考えられる。
【００４９】
なお、浴室暖房乾燥機１は、終了予定時刻Ｔｘが入力された状態で自動乾燥運転ｏｐＡが開始された後であっても、入力手段Ｉを用いて終了予定時刻Ｔｘを適宜再入力可能に構成される。浴室暖房乾燥機１の制御手段１０は、終了予定時刻Ｔｘが再入力されると既に入力されている終了予定時刻Ｔｘを、再入力された終了予定時刻Ｔｘに更新する。この更新により、自動乾燥運転ｏｐＡにおける乾燥運転ｏｐ２の制御タイミングが、再入力された終了予定時刻Ｔｘに合わせて浴室Ｂ内の衣類Ｃが完全に乾き切った状態となるように調整される。
【００５０】
以下では、終了予定時刻Ｔｘが入力された状態における自動乾燥運転ｏｐＡについて説明する。ここで、「終了予定時刻Ｔｘが入力された状態」とは、自動乾燥運転ｏｐＡの実行が開始される前に終了予定時刻Ｔｘが入力された状態と、自動乾燥運転ｏｐＡの実行が開始された後に終了予定時刻Ｔｘが入力された状態との両方を含む。
【００５１】
３．自動乾燥運転
図３及び図４を用いて、浴室暖房乾燥機１の自動乾燥運転ｏｐＡについて説明する。入力手段Ｉを介して終了予定時刻Ｔｘが入力された状態で自動乾燥運転ｏｐＡの実行が指示されると、浴室暖房乾燥機１の制御手段１０によって「第１乾燥運転Ａ１」、「待機運転Ｗ」、「第２乾燥運転Ａ２」が順に実行される。
【００５２】
３−１．第１乾燥運転
図４に示すように、制御手段１０は、第１乾燥運転Ａ１として、第１乾燥状態Ｓ１となるまで乾燥運転ｏｐ２を行う。第１乾燥状態Ｓ１は、乾燥対象物である衣類Ｃの乾燥率Ｄが、乾燥対象物が完全に乾いたことを示す完全乾燥指標値Ｄ２と等価、または当該完全乾燥指標値Ｄ２よりも未乾燥側の値に設定された第１乾燥指標値Ｄ１に到達した状態を意味する。
【００５３】
本実施形態においては、完全乾燥指標値Ｄ２としては乾燥率Ｄ  １００％とし、第１乾燥指標値Ｄ１として、乾燥率Ｄ  ９０％を用いる。すわなち、制御手段１０は、浴室Ｂ内の衣類Ｃの乾燥率Ｄが１００％（完全乾燥指標値Ｄ２）よりもわずかに低い第１乾燥指標値Ｄ１（乾燥率Ｄ  ９０％の状態）に到達した状態を第１乾燥状態Ｓ１とする。より具体的には、乾燥率Ｄが９０以上１００％未満の状態を第１乾燥状態Ｓ１とする。
【００５４】
ここで、第１乾燥指標値Ｄ１としては、衣類Ｃが完全に乾燥していないものの、衣類Ｃを放置した状態において生乾きの臭いが発生し難い程度に乾燥した状態を示す値に設定すると良い。具体的には、第１乾燥指標値Ｄ１としては乾燥率Ｄ  ９０〜９５％の間の値を用いると良い。
【００５５】
制御手段１０は、第１乾燥運転Ａ１において乾燥率Ｄが第１乾燥状態Ｓ１の状態に到達すると、待機運転Ｗに制御を移行する。
【００５６】
３−２．待機運転
図３及び図４に示すように、制御手段１０は、待機運転Ｗとして、乾燥運転ｏｐ２を一旦中断し、換気運転ｏｐ１又は乾燥運転ｏｐ２を実行する。より詳しくは、本実施形態においては、第１乾燥運転Ａ１において実行していた乾燥運転ｏｐ２を中断し、換気運転ｏｐ１を開始する。
【００５７】
図４に示すように、乾燥率推定手段１２により定期的（例えば、１分ごと）に乾燥率Ｄを取得し、乾燥率Ｄが第１乾燥状態Ｓ１よりも未乾燥側の値となった時には、第１乾燥状態Ｓ１を維持できるように、乾燥運転ｏｐ２を間欠的に実行する。具体的には、乾燥率Ｄが第１乾燥指標値Ｄ１よりも一定の値以上低くなった場合に、換気運転ｏｐ１を中断し、第１乾燥指標値Ｄ１に近づくように乾燥運転ｏｐ２を行う。
【００５８】
以上のように、本実施形態においては、待機運転Ｗ中、乾燥運転ｏｐ２を行っていないタイミングでは、換気運転ｏｐ１を実行する。このような制御を行うことにより、待機運転Ｗ中においてできる限り乾燥運転ｏｐ２を行わないことで省エネを実現しながら、衣類Ｃが浴室Ｂ内の湿気を含み湿ってしまうことを抑えることができる。
【００５９】
制御手段１０は、後述するように、現在時刻が終了予定時刻Ｔｘの乾燥再開時間Ｔｒ前になると、第２乾燥運転Ａ２へと制御を移行する。
【００６０】
３−３．第２乾燥運転
制御手段１０は、第２乾燥運転Ａ２として、終了予定時刻Ｔｘにおいて、乾燥率Ｄが完全乾燥指標値Ｄ２に到達した第２乾燥状態Ｓ２となるように、終了予定時刻Ｔｘの所定時間（乾燥再開時間Ｔｒ）前から乾燥運転ｏｐ２を実行する。
【００６１】
上述のように、第２乾燥状態Ｓ２の判定に用いる完全乾燥指標値Ｄ２としては、乾燥率Ｄ  １００％を用いる。具体的には、制御手段１０は、第２乾燥状態Ｓ２として乾燥率Ｄが１００％以上の状態を用いる。ここで乾燥再開時間Ｔｒとしては、数分〜数十分の間で設定すると良い。
【００６２】
なお、第２乾燥運転Ａ２の開始後、所定時間内に（例えば５分以内に）絶対湿度Ｈａの低下がみられない場合には、一旦乾燥運転ｏｐ２を停止し、終了予定時刻Ｔｘ直前（例えば１分前）のみにおいて、乾燥運転ｏｐ２または暖房運転を行う構成としても良い。開始後、所定時間内に（例えば５分以内に）絶対湿度Ｈａの低下がみられない場合は、衣類Ｃが浴室Ｂ内の湿気をほとんど吸っておらず、十分に乾き切っていると判断できるため、終了予定時刻Ｔｘにおいて衣類Ｃを暖かい状態とするだけでも、利用者が取り込んだ衣類Ｃを肌触り良く感じることができる。
【００６３】
４．浴室乾燥機の動作
図３のフローチャートに基づいて、浴室暖房乾燥機１の自動乾燥運転ｏｐＡ時の動作を説明する。
【００６４】
４−１．第１乾燥運転
利用者により入力手段Ｉを介して、自動乾燥運転ｏｐＡの開始が指示されると（＃１）、まず第１乾燥運転Ａ１の処理が開始される。
【００６５】
具体的には、乾燥運転ｏｐ２が実行される（＃２）、次に、終了予定時刻Ｔｘが入力されたかを確認する（＃３）。
【００６６】
終了予定時刻Ｔｘが入力されている場合（＃３：ＹＥＳ）には、乾燥率推定手段１２により乾燥率Ｄを推定し、推定した乾燥率Ｄに基づいて第１乾燥状態Ｓ１に到達したかを判定する（＃４）。具体的には、乾燥率Ｄが第１乾燥指標値Ｄ１以上であるかを判定する。
【００６７】
第１乾燥状態Ｓ１に到達していない場合（＃４：ＮＯ）には、＃２〜＃４の処理を繰り返す。第１乾燥状態Ｓ１に到達した場合（＃４：ＹＥＳ）には、待機運転Ｗの処理を開始する。
【００６８】
なお、終了予定時刻Ｔｘの入力が無い場合（＃３：ＮＯ）には、乾燥率推定手段１２より乾燥率Ｄを推定し、推定した乾燥率Ｄに基づいて完全に衣類Ｃが乾燥したかを判定する（＃２０）。具体的には、乾燥率Ｄが完全乾燥指標値Ｄ２以上であるかを判定する。乾燥率Ｄが完全乾燥指標値Ｄ２未満の場合（＃２０：ＮＯ）には＃２〜＃３の処理を繰り返す。乾燥率Ｄが完全乾燥指標値Ｄ２以上の場合（＃２０：ＹＥＳ）には、自動乾燥運転ｏｐＡを終了する（＃１２）。
【００６９】
４−２．待機運転
待機運転Ｗの処理が開始されると、乾燥運転ｏｐ２に代えて、換気運転ｏｐ１が実行される（＃５）。次に、制御手段１０に入力された終了予定時刻Ｔｘを確認し、現在時刻が終了予定時刻Ｔｘの乾燥再開時間Ｔｒ前に到達したか否かを判定する（＃６）。
【００７０】
乾燥再開時間Ｔｒ前に未到達の場合（＃６：ＮＯ）には、乾燥率推定手段１２により乾燥率Ｄを推定し、推定した乾燥率Ｄに基づいて第１乾燥状態Ｓ１が維持されているか否かを判定する（＃７）。具体的には、乾燥率Ｄが第１乾燥指標値Ｄ１未満になっていないかを判定する。乾燥率Ｄが第１乾燥指標値Ｄ１以上である場合（＃７：ＮＯ）には、＃５〜＃７の処理を繰り返す。
【００７１】
乾燥率Ｄが第１乾燥指標値Ｄ１未満である場合（＃７：ＹＥＳ）には、換気運転ｏｐ１を中断し、乾燥運転ｏｐ２を実行する（＃８）。続いて乾燥率Ｄが、乾燥率推定手段１２により乾燥率Ｄを推定し、推定した乾燥率Ｄに基づいて第１乾燥状態Ｓ１が維持されているか否かを判定する（＃９）。具体的には、乾燥率Ｄが第１乾燥指標値Ｄ１以上となっているかを判定する。乾燥率Ｄが第１乾燥指標値Ｄ１未満の間（＃９：ＮＯ）、＃８〜＃９の処理を繰り返し、乾燥率Ｄが第１乾燥指標値Ｄ１以上となった場合に（＃９：ＹＥＳ）には、＃５の処理に戻り、＃５〜＃７の処理を繰り返す。
【００７２】
＃６の処理において、現在時刻が終了予定時刻Ｔｘの乾燥再開時間Ｔｒ前に到達したと判定された場合（＃６：ＹＥＳ）、第２乾燥運転Ａ２の処理を開始する。
【００７３】
４−３．第２乾燥運転
第２乾燥運転Ａ２の処理が開始されると、換気運転ｏｐ１に代えて、乾燥運転ｏｐ２が実行される（＃１０）。次に、乾燥率推定手段１２により乾燥率Ｄを推定し、推定した乾燥率Ｄに基づいて第２乾燥状態Ｓ２に到達したか否かを判定する（＃１１）。具体的には、乾燥率Ｄが完全乾燥指標値Ｄ２以上であるかを判定する。
【００７４】
完全乾燥指標値Ｄ２未満の場合（＃１１：ＮＯ）には、＃１０〜＃１１の処理を繰り返す。＃１１の処理において、乾燥率Ｄが完全乾燥指標値Ｄ２以上の場合（＃１１：ＹＥＳ）には、自動乾燥運転ｏｐＡを終了する（＃１２）。
【００７５】
以上の制御により、省エネに配慮しながらも、生乾きの臭いの発生を抑え、利用者により入力された終了予定時刻Ｔｘにおいて、暖かく肌触りの良い状態に衣類を仕上げられる浴室乾燥機を実現できる。
【００７６】
〔第２実施形態〕
上記第１実施形態では、利用者が通信端末１４において終了予定時刻Ｔｘを直接指定することで、制御手段１０に終了予定時刻Ｔｘが入力される構成の一例を示した。
【００７７】
本実施形態においては、利用者が通信端末１４を持ち歩くだけで、通信端末１４の位置情報Ｐ１を用いて、制御手段１０に終了予定時刻Ｔｘが自動的に入力される構成の一例を示す。本実施形態の構成は、入力手段Ｉに関連する構成以外については第１実施形態と同様のため、説明及び図示を省略する。以下では、図５を用いて本実施形態における入力手段Ｉに関連する構成を説明する。
【００７８】
浴室暖房乾燥機１は、入力手段Ｉとして、利用者が利用する通信端末１４と宅内ルータ１５を介して通信可能な脱衣室リモコンＲ２に加えて、時刻決定手段２１、及び設置位置記憶手段２２を備える。
【００７９】
本実施形態においては、通信端末１４は、自身の現在地情報（位置情報Ｐ１）を取得するための位置情報取得手段２３を備える。具体的には、位置情報Ｐ１として、例えば緯度経度を用いる。位置情報取得手段２３としては、例えば、ＧＰＳや無線ＬＡＮ機能を利用した位置情報推定機能を備えると良い。位置情報取得手段２３により取得された位置情報Ｐ１は、宅内ルータ１５及び脱衣室リモコンＲ２を介して時刻決定手段２１に入力される。
【００８０】
設置位置記憶手段２２は、浴室暖房乾燥機１の設置位置を示す設置位置情報Ｐ２を記憶する。具体的には、設置位置情報Ｐ２として、例えば緯度経度が記憶される。位置情報Ｐ１は、浴室暖房乾燥機１の設置時に、あらかじめ記憶される構成とすると良い。
【００８１】
時刻決定手段２１は、位置情報Ｐ１及び設置位置情報Ｐ２との位置関係に基づいて、終了予定時刻Ｔｘを決定する。具体的には、例えば、位置情報Ｐ１が、設置位置情報Ｐ２に対して一定の距離内（例えば１ｋｍ以内）に存在した場合に、現在時刻に対して所定の時間（例えば１５分）経過した時刻を終了予定時刻Ｔｘと決定する。ここでの「所定の時間」としては、乾燥再開時間Ｔｒより長い時間に設定すると好ましい。加えて、「所定の時間」としては、利用者が「一定の距離」を移動するために要する時間を設定すると良い。
【００８２】
このような構成により、浴室暖房乾燥機１の利用者が特段の操作を行わずとも、利用者の所持する通信端末１４の位置情報Ｐ１に基づいて、時刻決定手段２１が終了予定時刻Ｔｘとして帰宅推定時刻を決定し、自動的に終了予定時刻Ｔｘが更新される。
【００８３】
よって、例えば、浴室暖房乾燥機１の利用者が、終了予定時刻Ｔｘを入力して自動乾燥運転ｏｐＡの実行を指示した後、入力した終了予定時刻Ｔｘよりも早めに外出先から帰宅しかけた場合などにおいて、時刻決定手段２１によって終了予定時刻Ｔｘが更新されることで、帰宅した直後に、暖かく肌触りの良い状態で衣類Ｃを取り込むことが可能となる。
【００８４】
〔別実施形態〕
（１）上記実施形態においては、乾燥指標として、乾燥率推定手段１２により推定した乾燥率Ｄを用いる場合の一例を示したが、乾燥指標として別の値を用いても構わない。具体的には、乾燥指標として、例えば、浴室Ｂ内の絶対湿度Ｈａを用いても良い。
【００８５】
また、仮に、浴室暖房乾燥機１が浴室Ｂ内に配置された衣類Ｃの重量を計測可能に構成されている場合には、乾燥前後の衣類Ｃの重量から直接、衣類Ｃの乾燥率を算出しても構わない。
【００８６】
（２）上記実施形態においては、第１乾燥状態Ｓ１を、乾燥率Ｄが完全乾燥指標値Ｄ２よりもわずかに低い第１乾燥指標値Ｄ１以上の状態とし、第２乾燥状態Ｓ２を、乾燥率Ｄが完全乾燥指標値Ｄ２以上の状態とする場合の一例を示したが、第１乾燥状態Ｓ１の状態及び第２乾燥状態Ｓ２の状態は適宜変更しても構わない。
【００８７】
例えば、第１乾燥状態Ｓ１及び第２乾燥状態Ｓ２をともに、乾燥率Ｄが完全乾燥指標値Ｄ２以上の状態としても構わない。すなわち、第１乾燥運転Ａ１として、乾燥率Ｄが完全乾燥指標値Ｄ２以上となるまで乾燥運転ｏｐ２を行う構成としても構わない。
【００８８】
また、例えば、第１乾燥状態Ｓ１を、あらかじめ決められた所定時間、乾燥運転ｏｐ２を行った後の状態としても構わない。すなわち、第１乾燥運転Ａ１として、あらかじめ決められた所定時間、乾燥運転ｏｐ２を行う構成としても構わない。
【００８９】
（３）上記実施形態においては、待機運転Ｗにおいて、浴室暖房乾燥機１が、適宜乾燥率Ｄを推定して第１乾燥状態Ｓ１を維持するように、間欠的に乾燥運転ｏｐ２を実行する場合の一例を示したが、待機運転Ｗにおける制御は、上記実施形態に限られない。
【００９０】
具体的には、待機運転Ｗにおいて、第１乾燥運転Ａ１で一度乾燥させた衣類Ｃが再度湿る可能性を抑えるような制御であれば、どのような制御を用いても構わない。例えば、乾燥率Ｄと関係なく、定期的に（例えば３０分ごとに）乾燥運転ｏｐ２を実行する構成としても良い。また、例えば、乾燥運転ｏｐ２を実行せず、換気運転ｏｐ１を連続的に実行するのみとしても良い。
【００９１】
また、待機運転Ｗにおいては、換気運転ｏｐ１及び乾燥運転ｏｐ２のいずれも実行しない構成としても構わない。このように何も実行しない構成であっても、浴室Ｂ内に湿気がほとんど残存しない状況下においては、第１乾燥運転Ａ１で一度乾燥させた衣類Ｃが再度湿る可能性は低く、省エネの観点から有効である。
【００９２】
（４）上記実施形態においては、脱衣室リモコンＲ２が、利用者が外出先などから利用可能な通信端末１４と通信可能に構成される場合の一例を示したが、脱衣室リモコンＲ２が通信端末１４と通信を行わない構成としても構わない。
【００９３】
また、上記実施形態においては、通信端末１４からの入力（終了予定時刻Ｔｘ又は位置情報Ｐ１）を、脱衣室リモコンＲ２を介して装置本体Ｍの制御手段１０に入力する構成の一例を示したが、熱源機Ｇや台所リモコン（不図示）が制御手段１０への入力を仲介する入力手段Ｉとして用いられても構わない。
【００９４】
具体的には、例えば、熱源機Ｇが機器本体Ｍの制御手段１０と有線で通信可能に構成されている場合、熱源機Ｇと通信可能な台所リモコン（不図示）が、宅内ルータ１５と無線通信可能に構成され、通信端末１４からの入力を中継器１５を介して受信し、さらに熱源機Ｇを介して制御手段１０へと入力する構成でも構わない。
【００９５】
また、例えば、熱源機Ｇが宅内ルータ１５と直接、無線又は有線で通信可能に構成され、通信端末１４からの入力を熱源機Ｇを介して制御手段１０へと入力する構成でも構わない。
【００９６】
（５）上記第２実施形態においては、制御手段１０に、終了予定時刻Ｔｘとして時刻決定手段２１によって決定された利用者の帰宅推定時刻が入力される場合の一例を示した。上記第２実施形態では、通信端末１４と位置情報Ｐ１と、浴室暖房乾燥機１の設置位置情報Ｐ２とに基づいて帰宅推定時刻を決定したが、異なる決定方法を用いても構わない。
【００９７】
例えば、時刻決定手段２１が、通信端末１４の位置情報Ｐ１を逐次取得し、通信端末１４の移動速度を算出し、当該移動速度を加味して、帰宅推定時刻を決定しても構わない。具体的には、位置情報Ｐ１と設置位置情報Ｐ２との距離を、時刻決定手段２１で算出した通信端末１４の移動速度で割り、求まった時間を現在時刻に加えて、帰宅推定時刻としても構わない。
【００９８】
なお、上記実施形態（別実施形態を含む、以下同じ）で開示される構成は、矛盾が生じないかぎり、他の実施形態で開示されている構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００９９】
１        ：浴室暖房乾燥機（浴室乾燥機）
１０      ：制御手段
１１      ：絶対湿度算出手段
１２      ：乾燥率推定手段
１４      ：通信端末
１５      ：宅内ルータ
２１      ：時刻決定手段
２２      ：設置位置記憶手段
２３      ：位置情報取得手段
Ｂ        ：浴室
Ｃ        ：衣類（乾燥対象物）
Ｄ        ：乾燥率
Ｄ１      ：第１乾燥指標値
Ｄ２      ：完全乾燥指標値
Ｈａ      ：絶対湿度
Ｉ        ：入力手段
Ｐ１      ：位置情報（通信端末の位置情報）
Ｐ２      ：設置位置情報（浴室乾燥機の設置位置を示す位置情報）
Ｓ１      ：第１乾燥状態
Ｓ２      ：第２乾燥状態
Ｔｒ      ：乾燥再開時間（所定時間）
Ｔｘ      ：終了予定時刻
ｏｐ１    ：換気運転
ｏｐ２    ：乾燥運転
ｏｐＡ    ：自動乾燥運転
Ａ１      ：第１乾燥運転
Ａ２      ：第２乾燥運転
Ｗ        ：待機運転
【図１】
0006655876.tif 000002
【図２】
0006655876.tif 000003
【図３】
0006655876.tif 000004
【図４】
0006655876.tif 000005
【図５】
0006655876.tif 000006